(57)【要約】      （修正有）【課題】遮光性や保温性などの特性を発揮できることに加えて軽量化が実現できるカーテンを提供する。【解決手段】カーボンブラックを含有する黒原着糸であり断面Ｃ形状の中空状繊維から成る第１糸２とフルダルの仮撚加工糸から成る第２糸３を織成して得られる布帛を用いたカーテン１とし、第１糸２は、断面Ｃ形状の第１の繊維と、断面Ｃ形状の中空部分を充填する充填材とを備えた基本糸を仮撚加工し、仮撚加工した基本糸の充填材を除去して所定の中空率を発現する、断面Ｃ形状仮撚加工糸から成る構成とした。【選択図】図１
0003202666.tif 000002
【実用新案登録請求の範囲】
【請求項１】
カーボンブラックを含有する黒原着糸であり断面Ｃ形状の中空状繊維から成る第１糸とフルダルの仮撚加工糸から成る第２糸を織成して得られる布帛を用いたカーテンであって、
前記第１糸は、断面Ｃ形状の第１の繊維と、断面Ｃ形状の中空部分を充填する充填材とを備えた基本糸を仮撚加工し、
仮撚加工した基本糸の前記充填材を除去して所定の中空率を発現する、断面Ｃ形状仮撚加工糸から成ることを特徴とするカーテン。
【請求項２】
前記布帛は、前記第１糸を織物の内部組織として織成されるダブルサテン組織織物から成ることを特徴とする請求項１に記載のカーテン。
【請求項３】
前記充填材は苛性ソーダを用いた減量加工により断面Ｃ形状の第１の繊維が減量される途中で除去できるアルカリ水溶液易溶解性素材から成ることを特徴とする請求項１または２に記載のカーテン。
【請求項４】
前記中空率は５０±２０％であることを特徴とする請求項１から３のいずれかに記載のカーテン。
【請求項５】
前記第１糸と第２糸は、共にポリエステル繊維から成る仮撚加工糸であることを特徴とする請求項１から４のいずれかに記載のカーテン。
【考案の詳細な説明】
【技術分野】
【０００１】  本考案は、カーテンに関し、特に遮光性や保温性を発揮することに加えて軽量化を図ることが可能になるカーテンに関するものである。
【背景技術】
【０００２】  従来、室内の遮光性や保温性を図るために厚地のカーテンが用いられている。また、これらの特性に加えて、最近では、鑑賞性に優れていることや、取扱いを容易にするために軽量であることが求められている。【０００３】  一般に、カーテンの軽量化を図るためには、レース状の布帛を用いたり、薄い布帛を用いたりしている。しかし、薄い布帛から成るカーテンは遮光性や保温性を十分には発揮できない虞が生じる。また、最近では、中空状繊維を用いた布帛によりカーテンを作製することにより、カーテンの軽量化を図ることが行われている。【０００４】  中空状繊維としては、繊維の中心部が中空の断面ドーナツ状のものや、ドーナツ状の一部が開放した断面Ｃ形状の繊維が既に知られている。これらの中空状繊維は化合繊を製造する紡糸工程における口金の吐出口形状を工夫することにより容易に実現できる。【０００５】  そこで、中空状繊維を用いたカーテンであれば、厚地であっても比較的軽量にすることができる。また、化合繊糸をそのまま用いるのではなく、化合繊糸を仮撚加工することにより糸条に嵩高性とぬめり感を付与して鑑賞性に優れた布帛を作製することができる。そのために、中空状繊維から成る糸条の仮撚加工糸を用いることにより、見栄えが良く、軽量化を図ることが可能になるカーテンを作製できることが見込まれる。【０００６】  また、元々光沢がある化合繊糸に酸化チタンを配合したダル糸（フルダル糸またはセミダル糸）はＵＶカット性能を発揮し、透け防止にも効果がある。そこで、遮光性に優れたカーテンは、フルダル糸から成る厚地の布帛を用いることや、濃色の、例えばカーボンブラックを配合して黒色に原着した原着糸を用いることにより作製できる。例えば、特許文献１には、カーボンブラックを配合して得られる黒色原着ポリエステル繊維を用いて優れた遮光性を有するカーテンを作製することが開示されている。また、中空繊維を用いてカーテンなどを作製することは例えば特許文献２に記載されている。
【先行技術文献】
【特許文献】
【０００７】
【特許文献１】  特開２００８−１２７７２２号公報
【特許文献２】  特開２０１０−１８９０７号公報
【考案の概要】
【考案が解決しようとする課題】
【０００８】  家庭で使用するカーテンは、遮光性や保温性などの特性を発揮できることに加えて軽量であることが望まれる。例えば、フルダル糸やカーボンブラックを含有する黒原着糸を用いることにより遮光性に優れたカーテンを作製できる布帛を織成できる。【０００９】  また、中空状繊維を用いることにより保温性を発揮でき軽量化を図ることが可能になる。しかしながら、中空状繊維を用いても、仮撚加工などの後加工を施すと中空状部分が潰れてしまい、所望の中空率を得ることができなくなってしまい問題となる。【００１０】  すなわち、中空状繊維を用いた布帛から成るカーテンであっても、中空状部分が潰れてしまい、所望の中空率を発現しない場合には、所望される保温性は発揮できず、遮光性も悪化することが想定される。【００１１】  従って、所定の遮光性や保温性を発揮し、十分軽量なカーテンを得るためには、たとえ、仮撚加工した糸条であっても所定の中空率を維持していることが求められる。【００１２】  本考案は、上記問題点に鑑み、遮光性や保温性などの特性を発揮できることに加えて軽量化が実現できるカーテンを提供することを目的とする。
【課題を解決するための手段】
【００１３】  上記課題を解決するために本考案は、カーボンブラックを含有する黒原着糸であり断面Ｃ形状の中空状繊維から成る第１糸とフルダルの仮撚加工糸から成る第２糸を織成して得られる布帛を用いたカーテンであって、前記第１糸は、断面Ｃ形状の第１の繊維と、断面Ｃ形状の中空部分を充填する充填材とを備えた基本糸を仮撚加工し、仮撚加工した基本糸の前記充填材を除去して所定の中空率を発現する、断面Ｃ形状仮撚加工糸から成ることを特徴とする。【００１４】  この構成によると、フルダルの仮撚加工糸とカーボンブラックを含有する黒原着糸により遮光性を発揮できる。また、断面Ｃ形状の第１の繊維と、断面Ｃ形状の中空部分を充填する充填材とを備えた基本糸を仮撚加工しているので、中空状部分が潰れることなく仮撚加工できる。従って、仮撚加工しても断面Ｃ形状を維持して所定の中空率を発現した仮撚糸を用いることにより、高い保温性を発揮し中空率に応じて軽量化を図ることが可能になる。従って、本考案によれば、遮光性や保温性などの特性を発揮できることに加えて軽量化が実現できるカーテンを得ることができる。【００１５】  また本考案は、上記構成のカーテンにおいて、前記布帛は、前記第１糸を織物の内部組織として織成されるダブルサテン組織織物から成ることを特徴とする。この構成によると、断面Ｃ形状の黒原着糸を織物の内部組織とし、フルダルの仮撚加工糸から成る第２糸を織物の外部組織にすることができ、保温性に優れると共に黒色を目立たさなくでき、鑑賞性に優れたカーテンを得ることができる。【００１６】  また本考案は、上記構成のカーテンにおいて、前記充填材は苛性ソーダを用いた減量加工により断面Ｃ形状の第１の繊維が減量される途中で除去できるアルカリ水溶液易溶解性素材から成ることを特徴としている。この構成によると、仮撚加工して得られるパッケージをそのまま減量加工するだけで、所定の中空率を発現できる中空状糸条を得ることができる。【００１７】  また本考案は、上記構成のカーテンにおいて、前記中空率は５０±２０％であることを特徴としている。この構成によると、所定の高い中空率を発現できることにより、所定の保温性を発揮し、所望の軽量化も可能になる。【００１８】  また本考案は、上記構成のカーテンにおいて、前記第１糸と第２糸は、共にポリエステル繊維から成る仮撚加工糸であることを特徴としている。この構成によると、カーボンブラックを容易に配合でき、容易に仮撚加工でき、パッケージ巻成後の減量加工操作も容易に行えるので、所定の機能と軽量化を発揮できるカーテンを容易に作製可能になる。
【考案の効果】
【００１９】  本考案によれば、カーボンブラックを含有する黒原着糸であり断面Ｃ形状の中空状繊維から成る第１糸とフルダルの仮撚加工糸から成る第２糸を織成して得られる布帛を用いたカーテンとしたので、遮光性や保温性などの特性を発揮できることに加えて軽量化が実現できるカーテンを得ることができる。
【図面の簡単な説明】
【００２０】
【図１】本考案に係るカーテンの正面図である。
【図２】本考案に係るカーテンに用いる中空状繊維の一例を示す概略断面図である。
【考案を実施するための形態】
【００２１】  以下に本考案の実施形態を図面を参照して説明する。また、同一構成部材については同一の符号を用い、詳細な説明は適宜省略する。
【００２２】  本考案に係るカーテンは、遮光性や保温性などの特性を発揮できることに加えて軽量化が実現できるようにしたものである。
【００２３】  例えば、図１に示すように、第１糸２と第２糸３とを製織してなる布帛から作製されるカーテン１である。また、第１糸２は、カーボンブラックを含有する黒原着糸であり断面Ｃ形状の中空状繊維から成り、第２糸３は、フルダルの仮撚加工糸から成る糸条を用いている。
【００２４】  フルダルの仮撚加工糸からなる第２糸３とカーボンブラックを含有する黒原着糸によりなる第１糸２を製織して得られるカーテン１は遮光性を発揮する。また、ＵＶ（紫外線）カットや透け防止にも効果がある。また、断面Ｃ形状の第１の繊維と、断面Ｃ形状の中空部分を充填する充填材とを備えた基本糸を仮撚加工しているので、中空状部分が潰れることなく仮撚加工できる。従って、仮撚加工しても断面Ｃ形状を維持して所定の中空率を発現した仮撚糸を用いることにより、高い保温性を発揮し中空率に応じて軽量化を図ることが可能になる。従って、本考案によれば、遮光性や保温性などの特性を発揮できることに加えて軽量化が実現できるカーテンを得ることができる。
【００２５】  第１糸２と第２糸３とを製織してなる布帛は、ダブルサテン組織織物から成ることが好ましい。この構成であれば、断面Ｃ形状の黒原着糸からなる第１糸２を織物の内部組織とし、フルダルの仮撚加工糸から成る第２糸３を織物の外部組織にすることができ、保温性に優れると共に黒色を目立たなくでき、鑑賞性に優れたカーテン１を得ることができる。
【００２６】  例えば、第１糸２を緯糸とし第２糸３を経糸として、経糸が表面に多く出るダブルサテン組織織物とすることにより、緯糸である第１糸２は織物の内部組織となり、フルダルの仮撚加工糸から成る第２糸３が織物の外部組織になる３層構造の布帛を作製できる。
【００２７】  上記構成によれば、カーボンブラックを含有する黒原着糸からなる第１糸２は、あまり外には出ない織物の内部組織となり、黒色が目立たないようにできると共に、所定の遮光性を発揮するので好ましい。
【００２８】  第１糸２は、図２に示すような断面Ｃ形状の断面形状であることが好ましい。化合繊維例えばポリエステル繊維を紡糸する際に口金の形状を工夫することにより、断面Ｃ形状のポリエステル繊維を容易に製造できる。しかしながら、断面Ｃ形状のポリエステル繊維を後加工すると、例えば、仮撚加工を行った場合、加工中に中空状部分が潰れてしまい、所定の中空率を発揮できなくなってしまう。
【００２９】  そこで、本実施形態では、断面Ｃ形状の第１の繊維２１と、断面Ｃ形状の中空部分を充填する充填材２２とを備えた中実の基本糸２Ａを製造して仮撚加工し、仮撚加工した後の基本糸２Ａから充填材２２を除去することにより、断面Ｃ形状の中空状の第１糸２を得る構成としている。
【００３０】  例えば、充填材２２を紡糸するための小径の紡糸孔の周囲を囲むように、第１の繊維２１を紡糸するための紡糸孔を複数設け、第１の繊維２１と充填材２２を同時に紡糸してパッケージに巻き取ることにより、基本糸２Ａを製造できる。また、三日月状の紡糸孔から第１の繊維２１を紡糸すると共に、三日月状の中空部にアルカリ水溶液易溶解性素材からなる糸条を挿通させて一体の糸条としてパッケージに巻き取ることにより基本糸２Ａを製造してもよい。
【００３１】  いずれにしても、断面Ｃ形状の第１の繊維２１の中空部にアルカリ水溶液易溶解性素材からなる充填材２２を含有した略断面円形の基本糸２Ａを用いることが好ましい。
【００３２】  基本糸２Ａは仮撚加工されて仮撚加工糸としてパッケージに巻き取られる。仮撚加工とは、例えば、糸条に仮撚を付与して熱固定した後、解撚することにより繊維同士が絡み合って膨らみと捲縮を持った糸条を製造する加工である。
【００３３】  また、本実施形態では、仮撚加工糸としてパッケージに巻き取られた基本糸２Ａを後加工して、充填材２２を溶解除去するようにしている。また、この後加工として、本実施形態では、従来行われているアルカリ減量加工を採用している。
【００３４】  そのために、充填材２２は苛性ソーダを用いた減量加工により除去できるアルカリ水溶液易溶解性素材から成ることが好ましい。この構成によると、仮撚加工して得られるパッケージをそのまま減量加工するだけで、第１の繊維２１が減量加工される前に、または、減量加工される途中で、充填材２２が溶解されて、断面Ｃ形状の中空状を発現できる中空状糸条を得ることができる。
【００３５】  減量加工は、例えばポリエステル糸条を苛性ソーダなどの強いアルカリ液で加工するものであって、繊維の表面を溶かして、風合い（手触り）を柔らかくしてソフト化を図るために行う。この減量加工により容易に溶解する素材（アルカリ水溶液易溶解性素材）を充填材２２として、容易には溶解しない難溶解性ポリマーから成る第１の繊維２１と共に溶融紡糸法にて断面Ｃ形状の中空状の第１糸２を製造できる。
【００３６】  中空状の第１糸２の中空率は、所定の保温性と軽量化を発揮するためには５０％程度が好ましい。中空率が５０％以下、例えば、３０％になると、十分な軽量化が得られなくなってしまう。また、中空率が５０％以上、例えば、７０％を超えると、軽量化は大きくなるが遮光性や防音性に対しては不利となる。従って、前記中空率は５０±２０％程度が好ましいといえる。
【００３７】  中空率が５０±２０％程度であれば、所定の高い中空率を発現できることにより、所定の保温性を発揮し、所望の軽量化も可能になる。また、遮光性や防音性も維持できる。例えば、中空率が５０％程度の中空状繊維を直接紡糸して、これを複数本束ねた糸条を、そのまま仮撚加工すると、加工中に中空状部分が潰れてしまい、仮撚加工糸としては中空率が１０〜２０％に減少してしまう。
【００３８】  従って、仮撚加工する際には、断面形状が潰れない中実の繊維から成る糸条であり、仮撚加工した後で、所定の中空率を発現できる仮撚加工糸であることが好ましい。
【００３９】  また、溶融紡糸の際にカーボンブラックなどの添加物を所定量配合することにより、所定の割合で添加物を含有する化合繊維を溶融紡糸できる。例えば、ポリエステルフィラメントを紡糸するポリマー中に１〜５％の割合でカーボンブラックを配合することにより、遮光性を発揮するポリエステル糸条を作製できる。
【００４０】  上記したように、第１糸２と第２糸３は、共にポリエステル繊維から成る仮撚加工糸であることが好ましい。この構成であれば、カーボンブラックを容易に配合でき、容易に仮撚加工でき、パッケージ巻成後の減量加工操作も容易に行えるので、所定の機能と軽量化を発揮できるカーテンを容易に作製可能になる。
【００４１】  また、カーボンブラックを含有するポリエステル糸条は黒原着糸となるので、織物にした際には、織物表面には表れない織組織であることが望ましい。そのために、前述したように、本実施形態においては、織物の内部組織と表裏両面の外部組織との３層構造に分けて織成可能なダブルサテン組織織物としている。
【００４２】  また、織物の表面には主に第２糸３が現れることになるが、この第２糸３を酸化チタンを所定割合で配合したフルダルの仮撚加工糸としているので、遮光性に優れると共にＵＶカット性能も発揮する。
【００４３】  すなわち、本考案に係るカーテン１は、遮光性と保温性に優れることに加えて、軽量化を図ることが可能になる。
【００４３】  上記したように、本考案に係るカーテン１は、カーボンブラックを含有する黒原着糸であり断面Ｃ形状の中空状繊維から成る第１糸２とフルダルの仮撚加工糸から成る第２糸３を織成して得られる布帛を用いたカーテンであって、前記第１糸２は、断面Ｃ形状の第１の繊維２１と、断面Ｃ形状の中空部分を充填する充填材２２とを備えた基本糸２Ａを仮撚加工し、仮撚加工した基本糸２Ａの前記充填材を除去して得られる断面Ｃ形状仮撚加工糸から成ることを特徴とする。
【００４４】  この構成であれば、フルダルの仮撚加工糸とカーボンブラックを含有する黒原着糸により遮光性を発揮できる。また、断面Ｃ形状の第１の繊維と、断面Ｃ形状の中空部分を充填する充填材とを備えた基本糸を仮撚加工しているので、中空状部分が潰れることなく仮撚加工できる。従って、仮撚加工しても断面Ｃ形状を維持して所定の中空率を発現した仮撚糸を用いることにより、高い保温性を発揮し中空率に応じて軽量化を図ることが可能になる。
【００４５】  従って、本考案によれば、遮光性や保温性などの特性を発揮できることに加えて軽量化が実現できるカーテンを得ることができる。
【００４６】  そのために、本考案に係るカーテンは、遮光性や保温性に加えて軽量化が求められる家庭用のカーテンに好適に適用できる。
【符号の説明】
【００４７】  １    カーテン
２    第１糸（中空状繊維）
２Ａ    基本糸
２１    第１の繊維
２２    充填材
３    第２糸
【図１】
0003202666.tif 000003
【図２】
0003202666.tif 000004